(57)【要約】【課題】本発明は、簡単な構造の防振機構を備えた簡単な構造の撮像装置を提供する。【解決手段】本発明のカメラ１０に内蔵される防振機構は基板４０、スプリング４２及び粘弾性部材４４によって構成されている。基板４０は、カメラ本体１４に軸４６を中心に回動自在に取り付けられる。また、基板４０は、その上面に取り付けられたスプリング４２によってカメラ本体１４の上面に支持される。更に、基板４０は、その上面に取り付けられた略円柱状の粘弾性部材４４を介してカメラ本体１４の上面に支持されている。シャッターボタン３２を押下操作した時に、カメラ本体１４に発生した振動のエネルギは、スプリング４２を介して基板４０に伝播する。そして、カメラ本体１４と基板４０の振動は粘弾性部材４４の弾性変形作用によって減衰される。【選択図】      図２
2006171193.tif 000002
【特許請求の範囲】
【請求項１】
撮像部が固定された装置本体と、
前記装置本体内に移動自在に設けられた錘部材と、
前記装置本体と前記錘部材とを連結し、装置本体に発生した振動を錘部材に伝達して錘部材を振動させる振動伝達部材と、
前記錘部材と前記装置本体とを連結し、錘部材の振動を減衰させる振動減衰部材と、
を有することを特徴とする撮像装置。
【請求項２】
前記錘部材は、前記装置本体内の電子部品実装基板と兼用されていることを特徴とする請求項１に記載の撮像装置。
【請求項３】
前記振動伝達部材は、ばね部材であることを特徴とする請求項１に記載の撮像装置。
【請求項４】
前記振動減衰部材は、粘弾性部材であることを特徴とする請求項１に記載の撮像装置。
【発明の詳細な説明】
【技術分野】
【０００１】
本発明は撮像装置に係り、特に手ブレ等によって装置本体に発生した振動を減衰して像ブレを防止する防振機能を備えた撮像装置に関する。
【背景技術】
【０００２】
カメラ本体に設けられた加速度センサ等のセンサにより、カメラ本体に発生した振動の大きさ及び方向を検出し、その振動によって発生する像ブレを防止するように、すなわち、振動を相殺する大きさ及び方向に撮像光学系の一部をアクチュエータによって移動させることにより、実質的に像ブレの無い画像を撮像するカメラが提供されている。
【０００３】
一方、特許文献１には、撮像光学系をカメラ本体に固定し、カメラ本体に発生した振動を、振動発生手段により発生させた振動によって相殺するカメラが提案されている。振動発生手段は、モータ及びこのモータの軸に偏心して取り付けられたおもりから構成され、モータによっておもりを偏心回転させることにより発生する振動によって、カメラ本体に発生した振動を相殺している。
【０００４】
また、特許文献２には、撮像光学系を内設するカメラ本体の側部に回動軸が固定され、この回動軸を、レリーズボタンを有するグリップ部２に設けられた軸受部によって支持することにより、グリップ部をカメラ本体に回動自在に支持したカメラが提案されている。このカメラによれば、レリーズボタンの押下操作によってグリップ部が回動軸廻りに揺動振動しても、その振動は回動軸とグリップ部との間に配設したばねによって吸収されるので、振動がカメラ本体に伝達するのを防止できる。
【特許文献１】特開２０００−１６２６５９号公報
【特許文献２】特開平１０−１５３８０７号公報
【発明の開示】
【発明が解決しようとする課題】
【０００５】
しかしながら、特許文献１に開示されたカメラは、カメラ本体にモータ及びおもりからなる振動発生手段が設けられているため、カメラ本体が重量物になるとともに消費電力も大きくなるという欠点があった。
【０００６】
これに対して特許文献２のカメラは、グリップ部に発生した振動をばねによって吸収する簡単な構造なので、防振機能としては重量物にならず電力も消費しないという利点がある。しかしながら、特許文献２のカメラは、カメラ本体とグリップ部とが分割されているため、カメラ自体の構造は複雑になるという問題があった。また、分割構造に起因して、双方の電子部品を接続する際にフレキシブルプリント基板を使用することが困難であった。更に、フレキシブルプリント基板に代えてリード線を使用する場合でも、そのリード線の配線構造が複雑になるという欠点があった。
【０００７】
本発明は、このような事情に鑑みてなされたもので、簡単な構造の防振機構を備えた簡単な構造の撮像装置を提供することを目的としている。
【課題を解決するための手段】
【０００８】
請求項１に記載の発明は、前記目的を達成するために、撮像部が固定された装置本体と、前記装置本体内に移動自在に設けられた錘部材と、前記装置本体と前記錘部材とを連結し、装置本体に発生した振動を錘部材に伝達して錘部材を振動させる振動伝達部材と、前記錘部材に取り付けられて錘部材の振動を減衰させる振動減衰部材と、を有することを特徴としている。
【０００９】
請求項１に記載の発明によれば、撮像部が固定された装置本体に錘部材を移動自在に設け、手ブレや他の原因により装置本体に発生した振動を、振動伝達部材を介して錘部材に伝達し、錘部材を振動させるとともに、この振動を振動減衰部材によって減衰させる。これにより、カメラ本体に発生した振動は、速やかに減衰されるので、像ブレの無い画像を撮像することができる。本発明によれば、錘部材、振動伝達部材及び振動減衰部材によって防振機構を構成したので、モータを備えた防振機構と比較して構造が簡単になる。また、この防振機構をカメラ本体に内蔵させたので、カメラ本体とグリップ部とが分割されたカメラと比較して、カメラの構造が簡単になる。
【００１０】
請求項２に記載の発明は、請求項１に記載の撮像装置において、前記錘部材は、前記装置本体内の電子部品実装基板と兼用されていることを特徴としている。錘部材として既存部品の基板を使用したので、防振機構の構造が簡単になる。
【００１１】
請求項３に記載の発明は、請求項１に記載の撮像装置において、前記振動伝達部材は、ばね部材であることを特徴としている。カメラ本体に発生した振動は、その振動エネルギがカメラ本体の錘部材に伝播することによって低減される。したがって、カメラ本体と錘部材との間に振動エネルギを伝播させる振動伝達部材が必要となり、この振動伝達部材としてばね部材を適用することにより、振動を錘部材に確実に伝達させることができる。
【００１２】
請求項４に記載の発明は、請求項１に記載の撮像装置において、前記振動減衰部材は、粘弾性部材であることを特徴としている。粘弾性部材は、変形により発生する応力（反力であっても可）が、時間に無関係な弾性的ひずみ（変形でも可）と時間に影響される粘性的流動の重なりとして現れる部材である。
【発明の効果】
【００１３】
以上説明したように本発明に係る撮像装置によれば、錘部材、振動伝達部材及び振動減衰部材によって防振機構を構成したので、モータを備えた防振機構と比較して構造が簡単になり、また、この防振機構をカメラ本体に内蔵させたので、カメラ本体とグリップ部とが分割されたカメラと比較して、カメラの構造が簡単になる。
【発明を実施するための最良の形態】
【００１４】
以下、添付図面に従って本発明に係る撮像装置の好ましい実施の形態について詳説する。
【００１５】
図１は、実施の形態に係る撮像装置が適用されたカメラ１０の全体斜視図が示されている。同図に示すカメラ１０は、被写体像を撮影レンズ１２を介して固体撮像素子１３（図３参照）に結像し、被写体像を電子データとして取得するデジタルカメラである。カメラ１０のカメラ本体（装置本体）１４の前部には、撮影レンズ１２を保持するレンズ鏡胴１６が設けられ、レンズ鏡胴１６に回動自在に設けられたフォーカスリング１８を手動で回動させることにより撮影レンズ１２のフォーカスレンズが移動されて合焦操作される。また、カメラ本体１４の上部には、外付けストロボ装置が取り付けられるホットシュー２０が設けられ、ホットシュー２０の前方には、ポップアップ式のストロボ２２がカメラ本体１４に起伏自在に設けられている。このストロボ２２は、ポップアップボタン２４を押圧操作することにより、カメラ本体１４側との係合が解除されて起立し、そのストロボ発光部が前方に向けられる。更に、カメラ本体１４の上面には、撮影モードを切り替えるモードダイヤル２６、コマンドダイヤル２８が近接配置され、また、カメラ本体１４のグリップ３０の上面にはシャッターボタン３２が配置されている。更にまた、カメラ本体１４の背面には電子ビューファインダ３４が設けられ、カメラ本体１４の側面にはスピーカ３６が配置されている。なお、符号３８は、撮影レンズ１２の前面に着脱自在に取り付けられるレンズキャップである。
【００１６】
実施の形態のカメラ１０は、撮影レンズ１２及び固体撮像素子からなる撮像部がカメラ本体１４に固定されたカメラであり、すなわち、撮像光学系の一部を移動させて像ブレを補正するカメラではなく、カメラ本体１４に内蔵された防振機構により、カメラ本体１４に発生した振動を除振し、像ブレを補正するカメラである。
【００１７】
図２、図３には、前記防振機構の第１の実施の形態が示されている。この防振機構は基板（錘部材）４０、スプリング（振動伝達部材）４２及び粘弾性部材（振動減衰部材）４４によって構成されている。基板４０は、カメラ１０の電子回路部品の一部を実装する矩形状の基板であり、カメラ本体１４に立てた姿勢で収納配置されている。また、基板４０の撮影レンズ１２側の表面でグリップ３０の近傍には、撮影光軸と平行に軸４６が突設され、この軸４６は、カメラ本体１４の内壁に設けられた軸受部４８に回動自在に支持されている。したがって、基板４０は、カメラ本体１４内に軸４６を中心として回動自在（移動自在）に取り付けられている。
【００１８】
更に、基板４０は、その上面に取り付けられたスプリング４２によってカメラ本体１４の上面に支持されている。更にまた、基板４０は、その上面に取り付けられた略円柱状の粘弾性部材４４を介してカメラ本体１４の上面に支持されている。
【００１９】
次に、図２、図３に示した防振機構の作用について説明する。
【００２０】
カメラ１０を用いた撮影時には、図２の二点鎖線で示すようにカメラマンの右手５０によってカメラ１０のグリップ３０を把持するとともに、左手５２によってレンズ鏡胴１６を把持した状態でカメラ１０の撮影レンズ１２を被写体に向け、右手の人指し指５４によってシャッターボタン３２を押下操作する。
【００２１】
このとき、カメラマンの手ブレによる振動がカメラ本体１４に伝達し、カメラ本体１４に振動が発生すると、その振動エネルギは、スプリング４２を介して基板４０に伝播する。そして、カメラ本体１４と基板４０の振動は粘弾性部材４４の弾性変形作用によって減衰される。したがって、実施の形態のカメラ１０によれば、カメラ本体１４に発生した振動を速やかに且つ効果的に除振することができるので、像ブレの無い画像を撮像することができる。
【００２２】
また、実施の形態のカメラ１０によれば、錘部材として既存部品の基板４０を使用するとともに、この基板４０の他、スプリング４２及び粘弾性部材４４によって防振機構を構成したので、モータを備えた防振機構と比較して構造が簡単になる。更に、この防振機構をカメラ本体１４に内蔵させたので、カメラ本体とグリップ部とが分割されたカメラと比較して、カメラの構造が簡単になる。
【００２３】
図４、図５には、第２の実施の形態の防振機構が搭載されたカメラ１０が示され、図１〜図３に示したカメラ１０と同一又は類似の部材については同一の符号を付し、その説明は省略する。
【００２４】
図４、図５に示したカメラ１０の防振機構は基板４０、板ばね（振動伝達部材）６０及び粘弾性部材４４によって構成されている。板ばね６０は、図５の如くクランク形状に形成され、折曲された上端部６０Ａがビス６２を介して基板４０に固定されるとともに、折曲された下端部６０Ｂがビス６４を介してカメラ本体１４の内壁に固定されている。これにより、基板４０は、カメラ本体１４に板ばね６０の弾性によって移動自在に取り付けられている。
【００２５】
次に、図４、図５に示した防振機構の作用について説明する。
【００２６】
カメラ１０を用いた撮影時には、図４の二点鎖線で示すようにカメラマンの右手５０によってカメラ１０のグリップ３０を把持するとともに、左手５２によってレンズ鏡胴１６を把持した状態でカメラ１０の撮影レンズ１２を被写体に向け、右手の人指し指５４によってシャッターボタン３２を押下操作する。
【００２７】
このとき、カメラマンの手ブレによる振動がカメラ本体１４に伝達し、カメラ本体１４に振動が発生すると、その振動エネルギは、板ばね６０を介して基板４０に伝播する。そして、カメラ本体１４と基板４０の振動は粘弾性部材４４の弾性変形作用によって減衰される。したがって、実施の形態のカメラ１０によれば、カメラ本体１４に発生した振動を速やかに且つ効果的に除振することができるので、像ブレの無い画像を撮像することができる。
【００２８】
また、実施の形態のカメラ１０によれば、錘部材として既存部品の基板４０を使用するとともに、この基板４０の他、板ばね６０及び粘弾性部材４４によって防振機構を構成したので、モータを備えた防振機構と比較して構造が簡単になる。更に、この防振機構をカメラ本体１４に内蔵させたので、カメラ本体とグリップ部とが分割されたカメラと比較して、カメラの構造が簡単になる。
【００２９】
実施の形態では、撮像装置としてデジタルカメラ１０について説明したが、これに限定されるものではなく、カメラ付きの携帯電話機やＰＤＡ（Personal Digital Assistant）等の多機能携帯電子機器に実施の形態の防振機構を適用してもよい。
【図面の簡単な説明】
【００３０】
【図１】本発明の撮像装置が適用されたデジタルカメラの全体斜視図
【図２】第１の実施の形態の防振機構が搭載されたデジタルカメラの正面図
【図３】第１の実施の形態の防振機構が搭載されたデジタルカメラの側断面図
【図４】第２の実施の形態の防振機構が搭載されたデジタルカメラの正面図
【図５】第２の実施の形態の防振機構が搭載されたデジタルカメラの側断面図
【符号の説明】
【００３１】
１０…デジタルカメラ、１２…撮影レンズ、１４…カメラ本体、１６…レンズ鏡胴、３０…グリップ、３２…シャッターボタン、４０…基板、４２…スプリング、４４…粘弾性部材、４６…軸、４８…軸受部、６０…板ばね
【図１】
2006171193.tif 000003
【図２】
2006171193.tif 000004
【図３】
2006171193.tif 000005
【図４】
2006171193.tif 000006
【図５】
2006171193.tif 000007